(57)【要約】【課題】  従来、パーマネントウェーブ処理方法について様々な処理方法があったが、ウェーブの特徴を出しすぎるとダメージが大きく時間がかかり、ダメージを少なくするとウェーブの特徴が出にくい等の課題があった。【構成】  毛髪を洗髪する工程と、パーマネントウェーブ用第１剤を塗布する工程と、毛髪をロッドに巻込む工程と、一定温度で７〜１５分間加温又は３〜１５分放置しテストカールする工程と、毛髪をロッドに巻いたまま、油分、タンパク質、ゲル又は樹脂を含んだ溶液で第１剤を洗い流す工程と、ロッドに熱を与え毛髪が乾燥するまで加温する工程と、パーマネントウェーブ用第２剤を塗布する工程と、５〜１５分間放置後、ロッドを外し毛髪に付着した第２剤を洗い流す工程でパーマネント処理方法である。毛髪のダメージが少なく、加温温度を自由に設定でき、強力かつ自由なウェーブが可能なこと、時間の短縮化、テストカールが可能等の特徴がある。【選択図】      図４
2006212214.tif 000002
【特許請求の範囲】
【請求項１】
毛髪を洗髪する第一の工程と、
パーマネントウェーブ用第１剤を前記毛髪に塗布する第二の工程と、
前記毛髪をロッドに巻き込む第三の工程と、
一定温度で７〜１５分間加温又は３〜１５分間放置し、テストカールをする第四の工程と、
前記毛髪をロッドに巻いたままの状態で、油分、タンパク質、ゲル又は樹脂の少なくとも一つを含んだ溶液で毛髪に付着したパーマネントウェーブ用第１剤を洗い流す第五の工程と、
前記毛髪に巻かれたロッドに熱を与え、毛髪が乾燥するまで加温する第六の工程と、
パーマネントウェーブ用第２剤を前記毛髪に塗布する第七の工程と、
５〜１５分間放置後、前記毛髪からロッドを外し、毛髪に付着したパーマネントウェーブ用第２剤を洗い流す第八の工程と、
からなるパーマネント処理方法。
【請求項２】
前記ロッドは通電により発熱可能なロッドである請求項１に記載のパーマネント処理方法。
【発明の詳細な説明】
【技術分野】
【０００１】
本発明は、パーマネント処理方法に関する。
【背景技術】
【０００２】
従来のパーマネント処理方法は大きく分けると下記の３つのような処理方法があった。１）常温式ウェーブ剤を使用する方法であり、ａ）シャンプーによる洗髪、ｂ）パーマネントウェーブ第１剤（以下、第１剤とする。）を塗布し、１０〜２０分自然放置する、ｃ）還元、軟化をチェックし第１剤を洗い流す、ｄ）油分、タンパク質の入ったトリートメントを塗布、ｅ）ワインディング、ｆ）発熱ロッドで約１５分程度乾燥するまで加温、ｇ）パーマネントウェーブ第２剤（以下、第２剤とする）塗布、ｈ）ロッドを外し、第２剤を洗い流し、スタイリングする方法である。２）加温式ウェーブ剤を使用する方法であり、ａ）シャンプーによる洗髪、ｂ）第１剤を塗布、ｃ）ワインディング、ｄ）第１剤を再塗布、ｅ）発熱ロッドで１０〜２０分加温（６０℃以下）、ｆ）テストカール、ｇ）第２剤塗布、ｈ）ロッドを外し、第２剤を洗い流し、スタイリングする方法である。３）化粧品ウェーブ剤を使用する方法であり、ａ）シャンプーによる洗髪、ｂ）第１剤を塗布、ｃ）ワインディング、ｄ）第１剤を再塗布、ｅ）発熱ロッドで１０〜２０分加温（任意の温度）、ｆ）テストカール、ｇ）第２剤塗布、ｈ）ロッドを外し、第２剤を洗い流し、スタイリングする方法である。
【０００３】
なお、パーマネントウェーブ処理方法は髪へのダメージが大きく、髪へのダメージを軽減させると、パーマネントの特徴であるウェーブが出にくいという問題があった。このため、下記のような種々のパーマネント処理方法が発明され出願されている。
【０００４】
文献１は、特開２００４−２３１５９３「パーマネント処理方法」であり、毛髪にパーマネント処理液を付着させて毛髪を整形する第１の整形工程と、パーマネント処理液が付着した状態の毛髪の少なくとも一部にパーマネント処理液を吸着あるいは吸収する処理粉末を振りかけ、毛髪より処理粉末へパーマネント処理液を移行させることで整形を一時中断する処理液吸収工程と、処理粉末が振りかけられた毛髪の少なくとも一部を加温して整形を再開する第２の整形工程とを含む方法である。
【０００５】
文献２は、特開２００４−２６２７９８「毛髪のパーマネントウェーブ処理方法」であり、通電により加熱可能なロッドを用い、毛髪にウェーブを付与するために、毛髪に還元剤を含有するパーマネントウェーブ用第１剤を塗布し、５〜２０分間放置して毛髪を充分に軟化させた後、水洗する工程、水洗後の毛髪の水分を軽く拭き取り、毛髪を通電により加熱可能なロッドに巻き付ける工程、毛髪を巻き付けたロッドに通電してロッドを加熱し、８０〜１４０℃で１〜３０分間放置する工程、毛髪またはロッドから外した毛髪に酸化剤を含有する液状のパーマネントウェーブ用第２剤を塗布し、１〜１５分間放置した後、水洗し、乾燥する工程であり、毛髪の損傷が少なく、毛髪に強力なウェーブを付与でき、しかも容易なパーマネントウェーブ処理方法を提供する。
【０００６】
文献３は、特開２００４−３２９３３６「パーマネント用熱伝導防止部材及び毛髪に対するパーマネント処理方法」であり、電源接続時に熱の発生可能な電熱ロッドに対して毛髪をワインディングする工程と、この電熱ロッドを発熱させる工程とを含み、毛髪をワインディングする工程は、電熱ロッドに、パーマネント用熱伝導防止部材を毛髪と共に巻回する介在工程を含み、電熱ロッドを発熱させる工程に際して、パーマネント用熱伝導防止部材により、電熱ロッドから発生する熱が毛髪と頭皮との少なくとも何れか一方に過多に伝達されることを防止することを特徴とする。
【０００７】
【特許文献１】特開２００４−２３１５９３
【特許文献２】特開２００４−２６２７９８
【特許文献３】特開２００４−３２９３３６
【発明の開示】
【発明が解決しようとする課題】
【０００８】
上記の各処理方法についてであるが、１）は、温度が高いためウェーブの特徴が出やすいが、ダメージが大きく時間がかかること、テストカールができず、還元、軟化チェックが極めて難しいこと等の課題がある。２）及び３）は、ダメージが少なく、テストカールができ、時間の短縮が可能であるが、ウェーブの特徴が出にくく、ダメージを受けた髪には対処できないこと等の課題がある。
【０００９】
また、文献１は、個人毎、部位毎に生じる毛髪の性質・状態の差に関わらず、均質な整形状態を得ることができるが、現実的に処理粉末の塗り分けが難しく、均質な整形状態を得るには困難であり、また時間がかかること等の課題がある。
【００１０】
文献２は、パーマネントウェーブ処理による毛髪の損傷が少なく、強力なウェーブを付与することができるが、実際に文献２の方法で強力なパーマネントウェーブ処理が可能かどうか疑問である。
【００１１】
文献３は、熱から人体及び毛髪を保護することができるのみであり、本願とは大きく異なる。
【００１２】
本発明は、上記事情を背景になされたもので、強力なウェーブが可能で、かつ毛髪へのダメージが少ないこと、テストカールができることによって自由なウェーブが可能であること、処理方法が簡易であり、処理時間が短縮でき、誰でも容易にできること等の特徴を備えたパーマネントウェーブ処理方法を提供することにある。
【課題を解決するための手段】
【００１３】
本発明は、加温温度を自由に設定でき、強力かつ自由なウェーブが可能であること、時間の短縮化、テストカールが可能となること、油分、タンパク質、ゲル又は樹脂を含んだ溶液を使用するので、毛髪の保護、修復が可能であり、毛髪のダメージの少ないパーマネント処理方法を提供できること、等を意図する。
【００１４】
請求項１は、毛髪を洗髪する第一の工程と、パーマネントウェーブ用第１剤を毛髪に塗布する第二の工程と、毛髪をロッドに巻き込む第三の工程と、一定温度で７〜１５分間加温又は３〜１５分間放置し、テストカールをする第四の工程と、毛髪をロッドに巻いたままの状態で、油分、タンパク質、ゲル又は樹脂の少なくとも一つを含んだ溶液で毛髪に付着したパーマネントウェーブ用第１剤を洗い流す第五の工程と、毛髪に巻かれたロッドに熱を与え、毛髪が乾燥するまで加温する第六の工程と、パーマネントウェーブ用第２剤を毛髪に塗布する第七の工程と、５〜１５分間放置後、毛髪からロッドを外し、毛髪に付着したパーマネントウェーブ用第２剤を洗い流す第八の工程と、からなるパーマネント処理方法である。
【００１５】
本発明は、処理方法の簡易化、時間の短縮化、等を意図する。
【００１６】
請求項２は、ロッドは通電により発熱可能なロッドであるパーマネント処理方法である。
【発明の効果】
【００１７】
請求項１は、毛髪を洗髪する第一の工程と、パーマネントウェーブ用第１剤を毛髪に塗布する第二の工程と、毛髪をロッドに巻き込む第三の工程と、一定温度で７〜１５分間加温又は３〜１５分間放置し、テストカールをする第四の工程と、毛髪をロッドに巻いたままの状態で、油分、タンパク質、ゲル又は樹脂の少なくとも一つを含んだ溶液で毛髪に付着したパーマネントウェーブ用第１剤を洗い流す第五の工程と、毛髪に巻かれたロッドに熱を与え、毛髪が乾燥するまで加温する第六の工程と、パーマネントウェーブ用第２剤を毛髪に塗布する第七の工程と、５〜１５分間放置後、毛髪からロッドを外し、毛髪に付着したパーマネントウェーブ用第２剤を洗い流す第八の工程と、からなるパーマネント処理方法である。従って、加温温度を自由に設定できること、強力かつ自由なウェーブが可能であること、時間の短縮化、テストカールが可能となること、油分、タンパク質、ゲル又は樹脂を含んだ溶液を使用するので、毛髪の保護、修復が可能であり、毛髪のダメージの少ないパーマネント処理方法を提供できること、等の特徴がある。
【００１８】
請求項２は、ロッドは通電により発熱可能なロッドであるパーマネント処理方法である。従って、熟練を要さずとも簡易に毛髪を乾燥させることができること、処理方法の簡易化により処理時間の短縮化が可能なこと、等の特徴がある。
【発明を実施するための最良の形態】
【００１９】
本発明の実施例を詳細に説明する。
【００２０】
まず、パーマネントウェーブをかける際には毛髪２を洗髪する。毛髪２を洗髪することによって毛髪２の洗浄、パーマネントウェーブ用第１剤の効果的な塗布及び染込みが可能となる。毛髪２の洗髪後、パーマネントウェーブ用第１剤入り容器１を使用して、パーマネントウェーブ用第１剤を毛髪２に塗布する（図１参照）。塗布する際は、パーマネントウェーブをかけたい毛髪２に万遍なくムラの無いように均等に塗布する。なお、パーマネントウェーブ用第１剤は、チオグリコール酸、チオグリコール酸アンモニウム、チオ乳酸等のチオグリコール酸塩類、システイン、システイン塩酸塩等のシステイン酸塩類、システアミン、Ｎ−アセチルシステイン等のシステイン誘導体、チオグリセリルアルキルエーテル、メルカプトアルキルアミド、亜硫酸塩、亜硫酸水素塩等の還元剤が含まれており、また、カーリング剤等も含まれる。パーマネント用ウェーブ用第１剤は、図１のように、パーマネントウェーブ用第１剤入り容器１に入っており、パーマネントウェーブ用第１剤入り容器１から塗布するが、液状、ジェル状、クリーム状等特に限定されず、毛髪２に均等に塗布可能なものであればよい。
【００２１】
次に、毛髪２を図２のように発熱ロッド３で巻き込み（ワインディング）、ワインディング終了後、約３〜１５分間放置する。放置することにより、パーマネントウェーブ用第１剤により還元が進み、毛髪２にウェーブが形成される。緩いウェーブであれば短時間の放置、強いウェーブであれば長時間の放置が望ましい。なお、パーマネントウェーブ用第１剤が加温式パーマネントウェーブ用第１剤の場合、一定温度（６０℃まで）で７〜１５分間加温する。
【００２２】
一定温度での加温又は放置後、テストカールを行う。テストカールとは、発熱ロッド３に巻き込んだ毛髪２を、一時的に発熱ロッド３を外してパーマネントウェーブのかかり具合（パーマネントウェーブの強さ）を確かめることであり、テストカールをすることにより、パーマネントウェーブのかかり具合をパーマネントウェーブ処理の途中段階で確認することができ、パーマネントウェーブの容易な調整が可能となる。特にパーマネントウェーブ剤の浸透速度は、髪質やダメージの程度により大きく異なり、ウェーブ形成の際のパーマネントウェーブ第１剤の浸透具合の確認は不可欠である。また、パーマネントウェーブをかける行為は毛髪２に多少のダメージを与えるものであり、パーマネントウェーブのやり直しや、必要以上のパーマネントウェーブをかけること、等は毛髪２へのダメージを考慮すると望ましいものではなく、また、所望のパーマネントウェーブを短時間で提供するためには、テストカールは欠かすことのできないものである。
【００２３】
テストカール終了後、毛髪２に発熱ロッド３を巻いた状態に戻し、毛髪２に発熱ロッド３を巻いたままの状態で、油分、タンパク質、ゲル又は樹脂の少なくとも一つを含んだ溶液（液剤）で、毛髪２に付着したパーマネントウェーブ用第１剤を洗い流す。油分、タンパク質、ゲル又は樹脂とは天然油脂、シリコン油脂、加水分解タンパク質等を指し、類似するものは全て含まれる。油分、タンパク質、ゲル又は樹脂を含んだ溶液を使用することによって、油分により、次の工程による発熱ロッド３の加温による熱から毛髪２を守ることができる。油分が毛髪２の表面を覆うことによって、発熱ロッド３の加温による熱から毛髪を保護し、傷み、ぱさつき等から毛髪２を守ることができる。また、細胞間脂質等を使用することにより、パーマネントウェーブ処理による毛髪２の傷み、ぱさつきを修復することができ、また、傷み、ぱさつき等から毛髪２を守ることができる。加水分解タンパク質は発熱ロッド３等により熱を加えられることにより、より一層、パーマネントウェーブ処理による毛髪２の傷み、ぱさつきを修復することができ、ウェーブ形成に不可欠な毛髪２の弾力性を付与することができる。ゲルや樹脂は加熱処理により、剥離した毛髪２のキューティクルの代わりに強力な被膜を形成することによって毛髪２を保護することができ、毛髪２に弾力を与えることができる。
【００２４】
また、タンパク質は次の工程による発熱ロッド３の加温による熱によって毛髪２の修正をすることができる。タンパク質は熱を加えることによりタンパク変性を起こし、固くなることが知られているが、タンパク変性によりウェーブのかかった毛髪２を固めることによって、ウェーブの形成後、容易にウェーブの形成を崩れないようにすることができる。また、毛髪２を修正する際にタンパク変性により固まることによって毛髪の修正後の変化を抑えることができ、効果的な毛髪２の修正が可能である。なお、従来の発熱ロッド３を使用しないパーマネントウェーブはパーマネントウェーブの持続力が弱く、また、毛髪が濡れた時と乾いた時のウェーブの差が明確で、むしろ乾いた時にウェーブがはっきりと出てくる傾向があった。しかし、今回の発明のように、タンパク変性によりウェーブのかかった毛髪２を固めることかできることによって、持続力の強いパーマネントウェーブを形成することができる。
【００２５】
なお、パーマネントウェーブ用第１剤を油分、タンパク質、ゲル又は樹脂の少なくとも一つを含んだ溶液で洗い流した後に、毛髪２に発熱ロッド３等を利用して熱を与えるので、薬事法における処理条件にも適合し問題なく使用できる。つまり、薬事法の規制がないため、常温式パーマネントウェーブ剤、加温式パーマネントウェーブ剤、化粧品パーマネントウェーブ剤等のどのパーマネントウェーブ剤でも薬事法の規制がなく問題なく使用できる。
【００２６】
パーマネントウェーブ用第１剤を油分、タンパク質、ゲル又は樹脂の少なくとも一つを含んだ溶液で洗い流した後、毛髪２に巻かれた発熱ロッド３に熱を与える（図３参照）。発熱ロッド３は現在流通している通電することによって加温可能な発熱ロッド３が望ましい。そして、発熱ロッド３で毛髪２が乾燥するまで加温する。毛髪２の乾燥までには個人差があるが、４０℃以上で１０〜２５分間加温させることにより乾燥する。４０℃〜１３０℃の範囲が望ましい。パーマネントウェーブ用第１剤を油分、タンパク質、ゲル又は樹脂の少なくとも一つを含んだ溶液で洗い流すので、毛髪２には油分、タンパク質、ゲル又は樹脂が付着しており、前記のように油分、樹脂により、発熱ロッド３の加温による熱から毛髪２を守ることができる。また、ゲル又はタンパク質により、発熱ロッド３の加温による熱によって毛髪２の修正をすることができる。毛髪２は約８０℃を超えると熱によるタンパク変性を起こし、それによりウェーブがより一層固定される。従って、パーマネントウェーブ剤による毛髪２の傷みを和らげ、よりダメージの少ないパーマネントウェーブの形成が可能となる。パーマネントウェーブ第１剤を油分、タンパク質、ゲル又は樹脂の少なくとも一つを含んだ溶液で洗い流し、その後、発熱ロッド３で加温することによって毛髪の修復（トリートメント）に一層効果がある。
【００２７】
毛髪２の乾燥後、パーマネントウェーブ用第２剤入り容器４を使用して、パーマネントウェーブ用第２剤を毛髪に塗布する（図４参照）。塗布する際は、パーマネントウェーブ第１剤を塗布した毛髪に、万遍なくムラの無いように均等に塗布する。なお、パーマネントウェーブ用第２剤は、臭素酸ナトリウム、臭素酸カリウム、過ホウ酸ナトリウム、過酸化水素水等の酸化剤が含まれている。パーマネントウェーブ第２剤を塗布後、一定時間放置する。臭素酸ナトリウムの場合は約１５分、過酸化水素水は約５分ほど放置する。なお、一浴式のパーマネントウェーブ剤を使用した場合は、パーマネントウェーブ第２剤を使用しない場合もあり得る。一定時間放置した後、毛髪２から発熱ロッド３を外し（図５参照）、毛髪２に付着したパーマネントウェーブ用第２剤を洗い流す。流し終わった後の状態が図６である。
【００２８】
洗い流し終わった後、ドライヤーＤ等を使用して髪を乾かし（図７参照）、スタイリングを行い（図８、図９参照）、所望の髪型が完成する。なお、Ｈは人である。
【図面の簡単な説明】
【００２９】
【図１】本発明においてパーマネントウェーブ用第１剤を毛髪に塗布する状態を表した図である。
【図２】本発明においてワインディングの状態を表した図である。
【図３】本発明において毛髪に巻かれた発熱ロッドを加温する状態を表した図である。
【図４】本発明においてパーマネントウェーブ用第２剤を毛髪に塗布する状態を表した図である。
【図５】本発明において毛髪から発熱ロッドを外す状態を表した図である。
【図６】本発明においてパーマネントウェーブ用第２剤を洗い流した状態を表した図である。
【図７】本発明においてドライヤーを使用して髪を乾かす状態を表した図である。
【図８】本発明においてスタイリングを行う状態を表した図である。
【図９】本発明において髪型の完成した状態を表した図である。
【符号の説明】
【００３０】
１      パーマネントウェーブ用第１剤入り容器
２      毛髪
３      発熱ロッド
３１    コード
４      パーマネントウェーブ用第２剤入り容器
Ｄ      ドライヤー
Ｈ      人
【図１】
2006212214.tif 000003
【図２】
2006212214.tif 000004
【図３】
2006212214.tif 000005
【図４】
2006212214.tif 000006
【図５】
2006212214.tif 000007
【図６】
2006212214.tif 000008
【図７】
2006212214.tif 000009
【図８】
2006212214.tif 000010
【図９】
2006212214.tif 000011